(57)【要約】      （修正有）【課題】蛍光灯から蛍光灯取付器具側に発射される光を効率的に室内側に反射させて室内の照度を向上するとともに蛍光灯管に衝撃が加わってガラスが割れた場合にもガラスの飛散防止ができる蛍光灯用反射フィルム体を提供する。【解決手段】蛍光灯管のガラス管の長さと略同一の長さを持つ筒体形状であって、側面の一部が反射フィルム１１０、側面の他の部分が透明フィルム１２０で形成された筒状の蛍光灯用反射フィルム体１００である。蛍光灯用反射フィルム体１００の筒内に蛍光灯管２００を通し入れ、蛍光灯管２００の両端の金具部分２２０を蛍光灯用反射フィルム体１００の両端から出した状態にて、蛍光灯取付器具に取り付ける。ガラス管２１０が割れてもガラス片が蛍光灯用反射フィルム内に収まり外部に飛散するおそれが低減する。【選択図】図２
0003148387.tif 000002
【実用新案登録請求の範囲】
【請求項１】
蛍光灯管のガラス管の長さと略同一の長さを持つ筒体形状で、側面の一部が反射フィルム、側面の他の部分が透明フィルムで形成された筒状の蛍光灯用反射フィルム体であって、
前記蛍光灯用反射フィルム体の筒内に前記蛍光灯管を通し入れ、前記蛍光灯管の両端の金具部分を前記蛍光灯用反射フィルム体の両端から出した状態にて、蛍光灯取付器具に取り付ける、蛍光灯用反射フィルム体。
【請求項２】
長辺が前記蛍光灯管のガラス管の長さと略同一の長方形の一枚の反射フィルムと、前記反射フィルムと同形状の一枚の透明フィルムとを対向させ、それらの長辺同士を貼り合わせて筒状に形成せしめた請求項１に記載の蛍光灯用反射フィルム体。
【請求項３】
短辺内側に接着面を備え、前記蛍光灯管を通し入れた状態において前記接着面を介して前記ガラス管と接着させておき、前記ガラス管が破損した場合にもガラス片が飛散しないように前記筒体内に前記ガラス管を封止せしめた請求項１または２に記載の蛍光灯用反射フィルム体。
【請求項４】
前記透明フィルムが紫外線遮断能を備えた素材であり、照射される蛍光において混入する紫外線量を低減せしめた請求項１から３のいずれか１項に記載の蛍光灯用反射フィルム体。
【考案の詳細な説明】
【技術分野】
【０００１】
本考案は、反射フィルムを備えた蛍光灯および蛍光灯に適用する反射フィルムに関するものである。特に、蛍光灯から蛍光灯取付器具側に発射される光を効率的に室内側に反射させて室内の照度を向上すること、蛍光灯から発射される光を特定方向に多く集める指向性を持たせること、蛍光灯管に衝撃が加わってガラスが割れた場合にもガラスの飛散防止ができること、蛍光灯の表面に異物・ゴミ・ホコリが溜まるのを防いで蛍光灯から発せられる光の照度低下を防止すること、さらには蛍光灯から発射される紫外線放射を抑えて衣類・家具・食料品の変色を防止することが可能とする技術に関するものである。
【背景技術】
【０００２】
一般的に蛍光灯は、天井面に固定設置する蛍光灯取付器具に１本または複数本の蛍光灯が取り付けられて蛍光を発して室内を照らす構造となっている。
従来技術においては蛍光灯取付器具のカサの内表面に白色のプラスチックなどの反射板を配して反射率を高め、蛍光灯から蛍光灯取付器具側に発射される光を反射して室内の照度を高くする工夫が広く見られる。
【０００３】
【特許文献１】特開平６−２７５１１５号公報
【考案の開示】
【考案が解決しようとする課題】
【０００４】
しかし、従来の蛍光灯取付器具を用いた蛍光灯では以下に示す問題があった。
第１の問題は、従来の蛍光灯取付器具の反射効率の問題である。従来の蛍光灯取付器具の蛍光灯管に対向する面には白色の金属やプラスチックの反射板が設けられているが、蛍光灯管とは少し離れた距離に反射板が設けられ、あらゆる角度に光が行き渡るように反射範囲が相当大きく設けられており、蛍光灯管本体から発射された光が相当広い範囲に拡散されることとなり、室内の照度があまり向上せず、利用者にとり十分な照度が得られていない場合も多い。また、より一層光の拡散を重視し、蛍光灯取付器具の前面を光拡散体で覆ってしまうものも多く見られる。そのためより一層照度が低下する原因ともなっている。
【０００５】
第２の問題は、蛍光灯管の破損時における安全性の問題である。従来の蛍光灯管は蛍光灯取付器具に剥き出しに取り付けられていたため、蛍光灯管に外部から衝撃が与えられると蛍光灯管のガラスが割れ、割れたガラスが室内に落ちるため危険であった。
【０００６】
第３の問題は、頻繁な掃除・メンテナンスの問題である。従来の蛍光灯取付器具では、蛍光灯管が蛍光灯取付器具のカサの下で開放された状態にあるため、蛍光灯管の周囲、特に上面に異物・ゴミ・ホコリが溜まりやすい。異物・ゴミ・ホコリが溜まると蛍光灯管からの光の発射が阻害され、照度低下の大きな原因となっている。従来の蛍光灯取付器具を使用する場合、頻繁に蛍光灯を掃除するなどのメンテナンスが必要となってしまう問題があった。
【０００７】
第４の問題は、紫外線の漏洩の問題である。蛍光灯は蛍光灯管内部で発せられる紫外線が蛍光体にあたることにより可視光線として外部に放射されるが、一定の比率にて紫外線が外部に放射される。従来の蛍光灯取付器具では蛍光灯管がそのまま蛍光灯取付器具に剥き出しのまま取り付けられる構造となっているため、上記した一定比率の紫外線が外部に放射されることとなる。そのため、室内にある衣類は勿論、家具や食料品などにも蛍光灯から発射される紫外線が照射され、変色や変質をおこすという問題があった。
【０００８】
第５の問題は、蛍光灯が虫を誘引してしまうという問題である。上記したように、蛍光灯は蛍光灯管内部で発せられる紫外線が蛍光体にあたることにより可視光線として外部に放射されるが、一定の比率にて紫外線が外部に放射される。この紫外線は夜間に虫などが感知しやすく、そのために夜間に蛍光灯照明に虫が寄りつく要因となっている。虫が多く飛来する夏から秋にかけては、虫が入ってこないように一般住宅や工場などにおいて窓を開けることができないという問題があった。
【０００９】
上記問題点に鑑み、本考案は、蛍光灯から蛍光灯取付器具側に発射される光を効率的に室内側に反射させて室内の照度を向上すること、蛍光灯から発射される光を特定方向に多く集める指向性を持たせること、蛍光灯管に衝撃が加わってガラスが割れた場合にもガラスの飛散防止ができること、蛍光灯の表面に異物・ゴミ・ホコリが溜まるのを防いで蛍光灯から発せられる光の照度低下を防止すること、さらには蛍光灯から発射される紫外線放射を抑えて衣類・家具・食料品の変色を防止することが可能とすることを目的とする。
【課題を解決するための手段】
【００１０】
上記目的を達成するため、本考案の蛍光灯用反射フィルム体は、
蛍光灯管のガラス管の長さと略同一の長さを持つ筒体形状であって、側面の一部が反射フィルム、側面の他の部分が透明フィルムで形成された筒状の蛍光灯用反射フィルム体であって、前記蛍光灯用反射フィルム体の筒内に前記蛍光灯管を通し入れ、前記蛍光灯管の両端の金具部分を前記蛍光灯用反射フィルム体の両端から出した状態にて、蛍光灯取付器具に取り付けるものである。
【００１１】
ここで、長辺が前記蛍光灯管のガラス管の長さと略同一の長方形の一枚の反射フィルムと、前記反射フィルムと同形状の一枚の透明フィルムとを対向させ、それらの長辺同士を貼り合わせて筒状に形成せしめることができる。
【００１２】
上記構成により、蛍光灯取付器具側に反射フィルムを配置し、照射方向に透明フィルムを配置するように蛍光灯管の周囲に蛍光灯用反射フィルム体を巻くことにより、反射フィルムが極めて蛍光灯の近くに配置され、蛍光灯取付器具側に発射される光のほぼ全量を照射方向側に反射させることができるので効率的に室内の照度を向上することができる。
【００１３】
なお、本発明の蛍光灯用反射フィルム体に通し入れた蛍光灯を蛍光灯取付器具に取り付ける際に、照度を上げたい方向に前記透明フィルムを位置させ、照度を上げたい方向の反対方向に反射フィルムを位置させることにより、所望の方向に照度を大きくする調整が可能である。
【００１４】
上記構成の蛍光灯用反射フィルム体において、短辺内側に接着面を備えた構成とすれば、蛍光灯管を通し入れた状態において接着面を介してガラス管と接着させておき、ガラス管が破損した場合にもガラス片が飛散しないように筒体内にガラス管を封止せしめることができる。
【００１５】
なお、上記構成の蛍光灯用反射フィルム体において、前記透明フィルムが紫外線遮断能を備えた素材とすることにより、照射される蛍光において混入する紫外線量を低減せしめることができる。
【考案の効果】
【００１６】
本考案の蛍光灯用反射フィルム体によれば、コストが安く、簡単に装着でき、効率良く蛍光灯から発射される光を反射して室内の照度を向上することができる。
本考案の蛍光灯用反射フィルム体を蛍光灯の周囲に巻くことによりガラス管が破損した場合にもガラス片が飛散しないように筒体内にガラス管を封止せしめることができる。
透明フィルムが紫外線遮断能を備えた素材とすることにより、照射される蛍光において混入する紫外線量を低減せしめることができ、室内にある衣類、家具、食料品等が紫外線により変色や変質をおこすことがなく、また、紫外線に誘引される虫を寄せ付けることもない。
また、本考案の蛍光灯用反射フィルム体を蛍光灯の周囲に巻くことにより蛍光灯の周囲に直接異物・ゴミ・ホコリが付着することがなく、清掃しなくても蛍光灯用反射フィルムを交換するのみで良い。
【考案を実施するための最良の形態】
【００１７】
以下、本考案を実施するための最良の形態について実施例により具体的に説明する。なお、本考案はこれらの実施例に限定されるものではない。
【実施例１】
【００１８】
本考案の蛍光灯用反射フィルム体の構成例を説明する。以下は蛍光灯用反射フィルム体の一例を取り上げたものであり、本考案の蛍光灯用反射フィルム体は多様なサイズ、多様な形状への適用が可能である。
【００１９】
図１および図２は、本考案の蛍光灯用反射フィルム体１００の構造の概要を模式的に示した図である。図１は本考案の蛍光灯用反射フィルム体１００の６面図を示しており、分かりやすいように筒状に内部空間を確保せしめた状態で示している。図２は、内部に蛍光灯管２００を通し入れた状態の蛍光灯用反射フィルム体１００の状態を模式的に示している。
【００２０】
図１に示すように、本考案の蛍光灯用反射フィルム体１００は、反射フィルム１０、透明フィルム２０を備えている。
【００２１】
反射フィルム１０は、例えばアルミニウムを蒸着させたフィルムであり、反射率が高く鏡面状に仕上がっている。例えば３層構造とし、ポリエチレンテレフタレート（ＰＥＴ）フィルムにアルミニウムを蒸着してアルミニウム膜層を設け、さらにその表面にポリエチレンテレフタレート（ＰＥＴ）フィルムを設けた構造とすれば、反射率が高い鏡面状となる。
【００２２】
透明フィルム２０は、透明のフィルム素材でできており、例えばポリプロピレンフィルム（ＰＰ）、ポリエチレンテレフタレートフィルム（ＰＥＴ）、ポリエチレンフィルム（ＰＥ）などを適用することができる。なお、蛍光灯管に極めて近い位置に配置されるため、ある程度の熱に耐えうる耐熱性を備えたものであることが好ましい。
【００２３】
図１に示すように、反射フィルム体１０の形状および透明フィルム２０の形状はともに、長辺が蛍光灯管２００のガラス管２１０の長さと略同一の長さを持つ長方形をしている。この長方形の一枚の反射フィルムと反射フィルムとを対向させ、それらの長辺同士を貼り合わせて筒状に形成せしめている。
つまり、本考案の蛍光灯用反射フィルム体１００は、筒体形状であって、側面の一部が反射フィルム、側面の他の部分が透明フィルムで形成されたものとなっている。
【００２４】
次に、本考案の蛍光灯用反射フィルム体１００の使用例を説明する。図２に見るように、蛍光灯用反射フィルム体１００の筒内に蛍光灯管２００を通し入れ、蛍光灯管２００の両端の金具部分２２０を蛍光灯用反射フィルム体１００の両端から出した状態にて、蛍光灯取付器具３００に取り付ける。なお、蛍光灯用反射フィルム体１００の両端から蛍光灯２００の金具部分２２０が出ているので、蛍光灯取付器具３００のソケット部分３１０に対して蛍光灯２００の金具部分２２０を取り付けることができる。
【００２５】
このように、蛍光灯２００を蛍光灯用反射フィルム体１００に通し入れた状態で蛍光灯取付器具３００に取り付ける。
図３は、蛍光灯取付器具３００に対して、蛍光灯用反射フィルム体に通し入れた蛍光灯２００を３本取り付けた様子を蛍光照射面側から見た様子を模式的に示す図である。蛍光灯取付器具３００には蛍光灯２００の端子を取り付けるソケット３１０が設けられている。図３の構成例では３本の蛍光灯２００が取り付けられるタイプの蛍光灯取付器具であり、３つとも蛍光灯用反射フィルム体に通し入れた蛍光灯２００を取り付けた例となっている。
【００２６】
ここで、反射フィルム１０と透明フィルム２０の蛍光灯取付器具３００に対する配置であるが、蛍光灯取付器具３００側の方向に反射フィルム１０が位置し、室内側の方向に透明フィルム２０が位置するように蛍光灯用反射フィルム体１００を蛍光灯２００の周囲に被せ、蛍光灯取付器具３００に取り付ける。このように蛍光灯取付器具３００側の方向に反射フィルム１０を配置することにより蛍光灯取付器具３００側に発射された蛍光が反射フィルム１０により効率的に蛍光照射面側に反射され、室内側への照度が向上する。
【００２７】
なお、本発明の蛍光灯用反射フィルム体１００に通し入れた蛍光灯２００を蛍光灯取付器具３００に取り付ける際に、照度を上げたい方向に透明フィルム２０を位置させ、照度を上げたい方向の反対方向に反射フィルム１０を位置させることにより、所望の方向に照度を大きく調整することが可能である。
【００２８】
図４は、所望の方向に照度を大きく調整する様子を側面から模式的に示す図である。図中、蛍光体２００は位置関係が分かりやすいように端面において２つの端子を模式的に描いている。
図４（ａ）左に示す図は右斜め下方向に向けて照度を上げる調整を行う例である。図４（ａ）中に示す図は真下方向に向けて照度を上げる調整を行う例である。図４（ａ）右に示す図は左斜め下方向に向けて照度を上げる調整を行う例である。いずれも反射フィルム１０を照度を上げたい方向の反対側方向に位置するように蛍光灯用反射フィルム体１００を蛍光体２００の周囲を回して調整せしめている。図４（ｂ）は模式的に蛍光灯２００から照射された光が効率的に照度を上げたい方向に反射される様子を示している。
【００２９】
なお、蛍光灯２００を蛍光灯取付器具３００に取り付けた後でも蛍光灯用反射フィルム体１００は蛍光灯２００の周りを回転させることができるので蛍光灯２００を回転させて調整すれば良い。
【００３０】
次に、本考案の蛍光灯用反射フィルム体１００を蛍光灯２００の周囲に設けたことによる、蛍光灯管の破損時における安全性向上の効果について説明する。従来の蛍光灯管は蛍光灯取付器具に剥き出しに取り付けられていたため、蛍光灯管に外部から衝撃が与えられると蛍光灯管のガラスが割れ、割れたガラスが室内に落ちるため危険であった。しかし、本考案の蛍光灯用反射フィルム体１００を蛍光灯２００の周囲に設けた構造とすれば、仮に蛍光灯２００のガラス管２１０に衝撃が加わって割れたとしても、周囲が蛍光灯用反射フィルム体１００で覆われているためガラス片が飛散することなく、蛍光灯用反射フィルム体１００の中で包まれた状態となり落下・飛散するガラス片が少なくなる。
【００３１】
次に、頻繁な掃除・メンテナンスが不要となる効果について述べる。従来の蛍光灯取付器具では、蛍光灯管が蛍光灯取付器具のカサの下で開放された状態にあるため、蛍光灯管の周囲、特に上面に異物・ゴミ・ホコリが溜まりやすい。異物・ゴミ・ホコリが溜まると蛍光灯管からの光の発射が阻害され、照度低下の大きな原因となっている。しかし、本考案の蛍光灯用反射フィルム体１００を蛍光灯２００の周囲に設けた構造とすれば、異物・ゴミ・ホコリは蛍光灯２００本体に付着することはなく、本考案の蛍光灯用反射フィルム体１００に付着する。本考案の蛍光灯用反射フィルム体１００を取り換えることにより簡単に異物・ゴミ・ホコリを除去することができ、従来のように蛍光灯２００そのものを拭いたりして掃除する必要がなくなる。
【００３２】
以上、実施例１にかかる本考案の蛍光灯用反射フィルム体１００によれば、蛍光灯取付器具側に反射フィルムを配置し、照射方向に透明フィルムを配置するように蛍光灯管の周囲に蛍光灯用反射フィルム体を巻くことにより、蛍光灯取付器具側に発射される光のほぼ全量を照射方向側に反射させることができ、効率的に室内の照度を向上することができる。
【実施例２】
【００３３】
実施例２の蛍光灯用反射フィルム体１００ａを説明する。実施例２の蛍光灯用反射フィルム体１００ａは、短辺内側に接着面を備え、蛍光灯管を通し入れた状態において前記接着面を介してガラス管と接着させる工夫を施したものである。
図５は、本考案の蛍光灯用反射フィルム体１００ａの構造の概要を模式的に示した図である。図５は本考案の蛍光灯用反射フィルム体１００ａの６面図を示しており、分かりやすいように筒状に内部空間を確保せしめた状態で示している。図６は、内部に蛍光灯管２００を通し入れ、ガラス管２１０に接着面を接着させた状態の蛍光灯用反射フィルム体１００ａを模式的に示している。
【００３４】
図５に示すように、本考案の蛍光灯用反射フィルム体１００ａは、図１と同様、反射フィルム１０、透明フィルム２０を備えているが、短辺内側に接着面１１および１２を備えた構造となっている。
【００３５】
図６に示すように、蛍光灯用反射フィルム体１００の内部に蛍光灯管２００を通し入れた状態とし、接着面１１および１２を介して蛍光灯用反射フィルム体１００の両端をガラス管２１０に接着させてガラス管２１０を封止せしめた状態とする。
このように蛍光灯用反射フィルム体１００の両端をガラス管２１０に接着させてガラス管２１０を封止せしめた状態とすると、ガラス管が破損した場合にもガラス片が飛散しないように筒体内にガラス管の破片を封止せしめることができる。
【００３６】
以上、本実施例２の蛍光灯用反射フィルム体１００ａによれば、蛍光灯管を通し入れた状態において接着面を介してガラス管と接着させておき、ガラス管が破損した場合にもガラス片が飛散しないように筒体内にガラス片を封止せしめることができる。
【実施例３】
【００３７】
実施例３の本考案にかかる蛍光灯用反射フィルム体を説明する。実施例３の蛍光灯用反射フィルム体は、透明フィルムとして紫外線遮断能を備えた素材を採用し、照射される蛍光において混入する紫外線量を低減せしめる工夫を施したものである。
【００３８】
実施例３の本考案にかかる蛍光灯用反射フィルム体では透明フィルムとして紫外線遮断能を備えた素材を採用している。紫外線遮断能を備えた素材として、例えばポリプロピレンフィルム（ＰＰ）、ポリエチレンテレフタレートフィルム（ＰＥＴ）、ポリエチレンフィルム（ＰＥ）などの透明基材に紫外線を遮断する薬剤をコーティングしたものがある。薬剤としては、例えば、Ａｌ2Ｏ3（酸化アルミニウム）、ＴｉＯ2（酸化チタン）、ＨｆＯ2（酸化ハフニウム）、Ｔａ2Ｏ5（酸化タンタル）、Ｃｒ2Ｏ3（酸化クロム）、ＭｇＦ2（フッ化マグネシウム）、ＭｇＯ（酸化マグネシウム）、ＺｒＯ2（酸化ジルコニウム）、ＳｉＯ2（酸化シリコン）等の金属酸化物を顔料として含むものが挙げられる。なお、紫外線を遮断するＵＶカット性能を持つ透明フィルムは多様なものが市場で入手可能となっており、いずれでもＵＶカット性能が優れておれば適用することができることは言うまでもない。
【００３９】
上記構成の蛍光灯用反射フィルム体を用いれば、蛍光灯管内部から一定の比率にて外部に放射される紫外線が、蛍光灯用反射フィルム体の透明フィルムにおいて紫外線が遮断され、室内側へは漏洩・放射されない。そのため、室内にある衣類、家具、食料品などに紫外線が照射されることはなく、変色や変質をおこすという問題が生じない。また、紫外線遮断能を持つ透明フィルムを用いることにより蛍光灯から紫外線が漏洩・放射されないため、虫を誘引してしまうという問題も生じることはない。
【００４０】
以上、本考案の蛍光灯用反射フィルム体における好ましい実施形態を図示して説明してきたが、本考案の技術的範囲を逸脱することなく種々の変更が可能であることは理解されるであろう。
【産業上の利用可能性】
【００４１】
本考案は、従来型の通常の蛍光灯に対して広く適用することができる。
【図面の簡単な説明】
【００４２】
【図１】本考案の蛍光灯用反射フィルム体１００の６面図
【図２】内部に蛍光灯管２００を通し入れた状態の蛍光灯用反射フィルム体１００の状態を模式的に示した図
【図３】蛍光灯取付器具３００に対して、蛍光灯用反射フィルム体に通し入れた蛍光灯を３本取り付けた様子を蛍光照射面側から見た様子を模式的に示す図
【図４】所望の方向に照度を大きく調整する様子を側面から模式的に示す図
【図５】本考案の蛍光灯用反射フィルム体１００ａの構造の概要を模式的に示した図
【図６】内部に蛍光灯管２００を通し入れ、ガラス管２１０に接着面を接着させた状態の蛍光灯用反射フィルム体１００ａを模式的に示した図
【符号の説明】
【００４３】
１００，１００ａ，１００ｂ  蛍光灯用反射フィルム体
１１０  反射フィルム
１１１  接着面
１２０  透明フィルム
１２１  接着面
２００  蛍光灯
３００  蛍光灯取付器具
【図１】
0003148387.tif 000003
【図２】
0003148387.tif 000004
【図３】
0003148387.tif 000005
【図４】
0003148387.tif 000006
【図５】
0003148387.tif 000007
【図６】
0003148387.tif 000008